(57)【要約】【課題】継続的な地域産業創出及び地域継続雇用創出のための植物栽培装置運営システム、及び植物栽培装置運営ビジネスモデルを提供する。【解決手段】植物栽培装置運営システムは、端末（ＩＯＴシステム）により一元管理することで、植物栽培装置の事業を運営するものであって、資金提供者から植物栽培装置の依頼を受けた後、受注者が植物栽培装置を供給する植物栽培装置供給ステップと、受注者が植物栽培装置で栽培する植物の人工培地を供給する人工培地供給ステップと、受注者が植物を生産するための植物栽培装置の環境条件を管理し、生産物の環境を最適化する生産管理ステップと、生産物購入希望者から、生産物の種類、量、期日の要望を受ける生産物要望ステップと、生産物購入希望者が要望した条件に合う生産物を、受注者が資金提供者から購入する生産物購入ステップと、受注者が生産物購入希望者に、購入した生産物を販売する生産物販売ステップとを備える構成をとる。【選択図】図１
2020004072.tif 000002
【特許請求の範囲】
【請求項１】
ＩＯＴシステムにより一元管理することで、植物栽培装置の事業を運営する植物栽培装置運営システムであって、
資金提供者から植物栽培装置の依頼を受けた後、受注者が前記植物栽培装置を供給する植物栽培装置供給ステップと、
前記受注者が、前記植物栽培装置で栽培する植物の人工培地を供給する人工培地供給ステップと、
前記受注者が、植物を生産するための前記植物栽培装置の環境条件を管理し、生産物の環境を最適化する生産管理ステップと、
生産物購入希望者から、生産物の種類、量、期日の要望を受ける生産物要望ステップと、
前記生産物購入希望者が要望した条件に合う前記生産物を、前記受注者が前記資金提供者から購入する生産物購入ステップと、
前記受注者が前記生産物購入希望者に、購入した前記生産物を販売する生産物販売ステップと、を備える、
ことを特徴とする植物栽培装置運営システム。
【請求項２】
前記生産管理ステップにおいて、前記植物栽培装置の内部の温度、湿度、照度、二酸化炭素濃度、空気の循環速度を管理し、所定日数毎の採れ高データを収集する、
ことを特徴とする請求項１に記載の植物栽培装置運営システム。
【請求項３】
前記生産物販売ステップにおいて、前記生産物の販売量、入金を電子的データ交換（ＥＤＩ）処理によって行う、
ことを特徴とする請求項１又は請求項２に記載の植物栽培装置運営システム。
【請求項４】
ＩＯＴシステムにより一元管理することで、植物栽培装置の事業を運営する植物栽培装置運営ビジネスモデルであって、
資金提供者から植物栽培装置の依頼を受けた後、受注者が前記植物栽培装置を供給し、前記受注者が、前記植物栽培装置に人工培地を供給し、前記受注者が、供給された前記菌床を培養し、生産するための前記植物栽培装置の環境条件を管理し、生産物の環境を最適化し、生産物購入希望者から、生産物に関する所定の要望を受け、前記生産物購入希望者が要望した条件に合う前記生産物を、前記受注者が前記資金提供者から購入し、前記受注者が前記生産物購入希望者に、購入した前記生産物を販売する、
ことを特徴とする植物栽培装置運営ビジネスモデル。
【発明の詳細な説明】
【技術分野】
【０００１】
本発明は、継続的な地域産業創出及び地域継続雇用の創出のための植物栽培装置運営システム、及び植物栽培装置運営ビジネスモデルに関するものである。
【背景技術】
【０００２】
コンテナを利用した植物栽培装置が報告されている（例えば、特許文献１）。
特許文献１に記載の植物栽培装置は、コンテナと、コンテナに設けられたソーラーパネルと、コンテナの内部に設けられ、植物を栽培する棚を備えている。そして、この植物栽培装置は環境因子の環境制御装置を有し、内部の環境因子を調整することで、計画的に植物を生産でき、コンテナの内部の環境因子を外部から管理できる。そのため、植物栽培装置が設置されている場所から離れた位置からでも、コンテナの内部の環境因子を管理することができ、植物栽培装置が設置されている場所に行き、環境因子の変更をする必要がなくなり、植物を生育するための手間とコストを削減できる。
【先行技術文献】
【特許文献】
【０００３】
【特許文献１】特開２０１７−２３００７号公報
【発明の概要】
【発明が解決しようとする課題】
【０００４】
近年、地域企業や自治体が運営主体となり、地域産業の創出や地域継続雇用を活性化させることがなされている。地方における地域産業の創出や地域継続雇用の活性化は、地域特有の植物（生産物）の生産・販売によって実施されている場合が多い。
このような地域産業の創出や地域継続雇用に活性化に、植物栽培装置を有効に利用されている例がほとんどないのが現状である。
【０００５】
また、例えば、人口が少ない地域や超高齢化が進んでいる地域は、植物栽培装置があったとしても、有効に活用することができないのが現状である。そのため、植物栽培装置の管理が容易で、有効に活用できる運営システムが求められている。管理が容易かつ有効に活用できる運営システムを導入することができれば、それぞれの地域で暮らしやすい環境を将来にわたり維持し、地方での産業の確保にも繋がる。
【０００６】
そこで、本発明は、継続的な地域産業創出及び地域継続雇用創出のための植物栽培装置運営システム、及び植物栽培装置運営ビジネスモデルを提供することを目的とする。
【課題を解決するための手段】
【０００７】
本発明に係る植物栽培装置運営システムは、ＩＯＴシステムにより一元管理することで、植物栽培装置の事業を運営するものであって、資金提供者から植物栽培装置の依頼を受けた後、受注者が植物栽培装置を供給する植物栽培装置供給ステップと、受注者が、植物栽培装置で栽培する植物の人工培地を供給する人工培地供給ステップと、受注者が、植物を生産するための植物栽培装置の環境条件を管理し、生産物の環境を最適化する生産管理ステップと、生産物購入希望者から、生産物の種類、量、期日の要望を受ける生産物要望ステップと、生産物購入希望者が要望した条件に合う生産物を、受注者が資金提供者から購入する生産物購入ステップと、受注者が生産物購入希望者に、購入した生産物を販売する生産物販売ステップとを備えることを特徴とする。
【０００８】
本発明に係る植物栽培装置運営システムは、生産管理ステップにおいて、植物栽培装置の内部の温度、湿度、照度、二酸化炭素濃度、空気の循環速度を管理し、所定日数毎の採れ高データを収集することを特徴とする。
【０００９】
本発明に係る植物栽培運営システムは、生産物販売ステップにおいて、生産物の販売量、入金を電子的データ交換（ＥＤＩ）処理によって行うことを特徴とする。
【００１０】
本発明に係る植物栽培装置運営ビジネスモデルは、ＩＯＴシステムにより一元管理することで、植物栽培装置の事業を運営するものであって、資金提供者から植物栽培装置の依頼を受けた後、受注者が植物栽培装置を供給し、受注者が、植物栽培装置に菌床を供給し、受注者が、供給された人工培地を培養し、生産するための植物栽培装置の環境条件を管理し、生産物の環境を最適化し、物購入希望者から、生産物に関する所定の要望を受け、生産物購入希望者が要望した条件に合う生産物を、受注者が資金提供者から購入し、受注者が生産物購入希望者に、購入した生産物を販売することを特徴とする。
【発明の効果】
【００１１】
本発明の植物栽培装置運営システムは、各ステップを、受注者の端末（ＩＯＴシステム）により、一元管理し、植物栽培装置の事業を運営する。このように、端末で一元管理することで、植物栽培から販売まで、手間をかけずに処理することができ、例えば、生産物購入希望者が地域卸売市場である場合、その生産地域の公益を最大化させることができる。
【図面の簡単な説明】
【００１２】
【図１】本発明の実施形態に係る植物栽培装置運営システムのカテゴリを説明するための図である。
【図２】本発明の実施形態に係る植物栽培装置運営システムを説明するための図である。
【図３】本発明の実施形態に係る植物栽培装置運営システムの具体的なステップを説明するための図である。
【図４】本発明の実施形態に係る植物栽培装置運営システムの資金提供者、受注者、生産物購入者の実施する内容を示した図である。
【発明を実施するための形態】
【００１３】
本実施形態に係る植物栽培運営システム、及び植物栽培運営ビジネスモデルを、図１から図４を参照し説明する。この植物栽培運営システム、及び植物栽培運営ビジネスモデルは、例えば、地域企業や自治体が運営の主体となり、コンテナから構成される植物栽培装置を利用して、その植物栽培装置を利用して生産された生産物を流通されることで、継続的な地域産業の創出、及び地域継続雇用の創出を生み出す目的で使用される。
【００１４】
まず、本実施形態に係る植物栽培運営システムの概要を簡潔に説明する。この植物栽培運営システムは、図１に示すように、例えば、植物栽培装置のオーナー募集をし、フランチャイズ本部及びフランチャイズ事業者が、植物栽培装置の本体販売及び設置をし、この植物栽培装置に菌床（人工培地）を継続供給し、生産管理を受託し、最後に地域卸売市場（生産物購入希望者）に対し生産物買取、加工、販売する。
【００１５】
本実施形態に係る植物栽培運営システムは、図２に示すように、コンテナパッケージ販売（カテゴリＩ）、菌床供給（カテゴリＩＩ）、生産管理受託（カテゴリＩＩＩ）、生産物買取小売市場流通（カテゴリＩＶ）を、端末によって一元的に管理するものである。
【００１６】
［カテゴリＩ］
コンテナパッケージ販売では、フランチャイズ本部（ＦＣ本部）が保有する端末で、全国に植物栽培装置の資金提供者（オーナー）募集の告知を行う。そして、資金提供者から、植物栽培装置の依頼を受けたフランチャイズ本部が、フランチャイズ事業者を通して、植物栽培装置を設置販売する（植物栽培装置供給ステップ）。
本実施形態では、投資家や事業者が資金提供者となり、フランチャイズ本部とフランチャイズ加盟事業者は受注者となる。
【００１７】
植物栽培装置は、屋外で使用され、コンテナと、コンテナの外部の上面に設けられたソーラーパネルと、コンテナの内部に配置される棚を備えている。また、コンテナの内部には、環境因子を制御するための温度制御装置、湿度制御装置、光照射装置、気体濃度制御装置、空気循環装置、及び環境制御装置を備えている。環境制御装置（管理センサー）は、情報収集部、伝達部および指示部を備えている。情報収集部は、コンテナの内部の環境条件の数値を把握し、伝達部に伝える。伝達部は、それらの情報を外部の管理者の端末に伝達する。管理者は、コンテナの内部の環境条件を確認し、各環境因子の値を変更したい場合、目的の値を指示部に伝達する。指示部は、管理者から伝達された値を各装置に指示し、各装置は目的の値となるように稼働する。
【００１８】
［カテゴリＩＩ］
カテゴリＩＩでは、フランチャイズ本部及びフランチャイズ事業者が、カテゴリＩで設置販売した植物栽培装置の内部で植物を生産するための人工培地や植物の種を提供する。人工培地は、生産する植物によって異なり、本実施形態では、人工培地として、菌床を用いる例について説明する。
【００１９】
［カテゴリＩＩＩ］
カテゴリＩＩＩでは、フランチャイズ本部やフランチャイズ加盟事業者が、植物栽培装置での植物栽培の生産管理をする。
フランチャイズ加盟事業者は、植物栽培装置の内部の環境条件（生育条件）を管理する。この環境条件（生育条件）とは、植物栽培装置の内部の温度、湿度、二酸化炭素濃度、照度である。これらの基準は、フランチャイズ本部の基準に従うものとする。この環境条件は、フランチャイズ加盟事業者が植物栽培装置の外部から端末により調整する。また、フランチャイズ加盟事業者は、植物の日毎採れ高データである重量の情報を収集したり、菌床の入れ替え日程を自動設定する。
【００２０】
一方、フランチャイズ本部は、植物栽培装置の生産環境の最適化を行う。具体的には、生産物の採れ高差異分析を行い、最適解の算出を行う。
また、フランチャイズ本部は、端末を介して、採れ高見込みと販売先需要量による自動
出荷の指示をしたり、パート工数のデータ収集及び分析を行う。
【００２１】
［カテゴリＩＶ］
カテゴリＩＶでは、フランチャイズ本部が、端末を介して、生産物の購入希望者から、生産物の種類、量、期日の要望を受ける（生産物要望ステップ）。生産物の購入希望者は、例えば、仲卸等販売者（地域卸売市場）である。
そして、フランチャイズ本部は、生産物購入希望者が要望する条件に合う生産物を資金提供者から購入する（生産物購入ステップ）。
生産物を購入した後、フランチャイズ本部は、生産物購入希望者に、購入した生産物を販売する（生産物販売ステップ）。この際、生産物の販売量や販売高からの入金は、電子的データ交換処理（ＥＤＩ処理）で行う。
【００２２】
以上のステップは、例えば、図３に示したフローチャトに沿って実施される。
資金提供者、フランチャイズ事業者、フランチャイズ本部、及び生産物購入希望者（販売先）が成す事項について、図３及び図４を参照して説明する。
【００２３】
［資金提供者］
資金提供者は、植物栽培装置の募集に対して応募する。この際、提供した資金額等が、フランチャイズ本部の端末に表示される。
そして、応募以降、資金提供者は、提供した資金額と、生産物を購入したフランチャイズ本部から入金された収支を閲覧するのみである。
【００２４】
［フランチャイズ加盟事業者］
フランチャイズ加盟事業者は、植物栽培装置の内部の環境を監視し、フランチャイズ本部からの指示に従って、環境条件を調整する。菌床入れ替え日程の管理をして、設定する。
また、フランチャイズ加盟事業者は、植物栽培装置の１日毎の採れ高、パート勤務管理、生産管理者経費管理等をフランチャイズ本部の端末に送信する。
さらに、フランチャイズ加盟事業者は、フランチャイズ本部の端末から送信される自動出荷指示を受信し、出荷を行う。
【００２５】
［フランチャイズ本部（ＦＣ本部）］
フランチャイズ本部は、植物栽培同地の内部の栽培環境の最適化条件を管理すると共に、菌床培養・供給管理を行って、端末に設定する。また、フランチャイズ本部は、フランチャイズ事業者の菌床入替日程管理や１日毎の採れ高などを参照し、生産物のランク別、サイズ別販売量、販売高を突き合わせする。
また、フランチャイズ本部は、生産物購入希望者（販売先）から、端末を介して、データ交換をする。生産物希望購入者から要望された種類、量、期日をフランチャイズ事業者に端末を介して、出荷の指示を行う。
そして、フランチャイズ本部は、植物栽培装置の収支を監視し、調整を行う。
また、フランチャイズ本部の端末では、生産物のデータ収集、データ通信、データ分析、データ保全を行う。データ分析結果は、データ収集にフィードバックされる。
【００２６】
［生産物購入希望者］
生産物購入希望者は、フランチャイズ本部に要望する生産物の種類、量等を、端末を介して、データ交換する。
【００２７】
次に、本実施形態に係る植物栽培装置運営システムの作用効果について説明する。
【００２８】
本実施形態に係る植物栽培装置運営システムは、フランチャイズ本部の端末（ＩＯＴシステム）により、植物栽培装置供給ステップ、人工培地供給ステップと、生産管理ステップと、生産物要望ステップと、生産物購入ステップと、生産物販売ステップと、一元管理することで、植物栽培装置の事業を運営する。
端末で一元管理することで、植物栽培から販売まで、手間をかけずに処理することができる。また、生産物購入希望者が地域卸売市場である場合、その生産地域の公益を最大化させることができる。
【００２９】
地域の公益の最大化は、地域住民、自治体、地域事業体による地域活性化が必要である。本実施形態に係る植物栽培装置運営システムを活用することで、継続的な地域産業の創出及び地域継続雇用の創出を向上させることができ、結果として、地域の公益の最大化を図ることができる。
【００３０】
また、本実施形態で説明した植物栽培装置運営システムは、植物栽培装置運営ビジネスモデルにも応用できる。すなわち、この植物栽培装置運営ビジネスモデルは、ＩＯＴシステムにより一元管理することで、植物栽培装置の事業を運営するものである。そして、この植物栽培装置運営ビジネスモデルは、資金提供者から植物栽培装置の依頼を受けた後、受注者が植物栽培装置を供給し、受注者が植物栽培装置に菌床を供給し、受注者が供給された菌床を培養し、生産するための植物栽培装置の環境条件を管理し、生産物の環境を最適化し、生産物購入希望者から、生産物に関する所定の要望を受け、生産物購入希望者が要望した条件に合う生産物を受注者が資金提供者から購入し、受注者が生産物購入希望者に、購入した生産物を販売するものである。
【００３１】
以上、本実施形態について説明したが、これ以外にも、本発明の主旨を逸脱しない限り、上記実施の形態で挙げた構成を取捨選択したり、他の構成に適宜変更することが可能である。
【図１】
2020004072.tif 000003
【図２】
2020004072.tif 000004
【図３】
2020004072.tif 000005
【図４】
2020004072.tif 000006